(57)【要約】【課題】  本発明は、軽量気泡コンクリート（ＡＬＣ）パネルを躯体の支持部材に取付ける際、柱部の周りの突出部分に干渉することなく、かつ施工が容易で、安定した取付け強度を有し、取付金具の部品点数を削減することでコストダウンを図ることができ、かつ解体が容易なＡＬＣパネル取付金具及びそれを用いた取付構造を提供することを目的としている。【解決手段】  ＡＬＣパネル取付用棒状金具を、ＡＬＣパネル取付用板状金具の水平部の中央に穿設された平面矩形の開口部から挿通し、ＡＬＣパネル短辺小口面に掘設された差込孔に挿入し、且つ該水平部の平面矩形の開口部と該棒状金具の非挿入側先端部に設けられた平面矩形の面材とを該開口部周辺にある爪部で掛止するように嵌合させて取付け、次いで、前記ＡＬＣパネル取付用板状金具の垂直部を、躯体に固着された支持部材に対し、該垂直部の下端と該支持部材の下端が同一位置となるように固着することを特徴とする。【選択図】図３
2005232878.tif 000002
【特許請求の範囲】
【請求項１】
建造物の躯体に固着された支持部材に取付けるための垂直部と水平部とからなるＡＬＣパネル取付金具であって、前記垂直部は前記水平部の一部を下方又は上方に屈曲させた両端部と上方又は下方に屈曲させた中央部とで構成され、且つ前記水平部の中央には平面矩形の周辺に爪部を備えた開口部が穿設されていることを特徴とするＡＬＣパネル取付用板状金具。
【請求項２】
前記ＡＬＣパネル取付用板状金具の水平部に穿設された開口部から挿通してＡＬＣパネル短辺小口面に掘設された差込孔に挿入して取付けるための棒状体からなるＡＬＣパネル取付金具であって、前記棒状体の非挿入側先端部には該開口部に嵌合する平面矩形の面材が設けてあることを特徴とするＡＬＣパネル取付用棒状金具。
【請求項３】
前記棒状体の挿入側先端部には更にゴム質キャップが被着されていることを特徴とする請求項２記載のＡＬＣパネル取付用棒状金具。
【請求項４】
前記ＡＬＣパネル取付用棒状金具を、前記ＡＬＣパネル取付用板状金具の水平部に穿設された平面矩形の開口部から挿通し、ＡＬＣパネル短辺小口面に掘設された差込孔に挿入し、且つ該水平部の平面矩形の開口部と該棒状金具の非挿入側先端部に設けられた平面矩形の面材とを嵌合させて取付け、次いで、前記ＡＬＣパネル取付用板状金具の垂直部を、躯体に固着された支持部材に対し、該垂直部の下端と該支持部材の下端が同一位置となるように固着することを特徴とするＡＬＣパネル取付構造。
【発明の詳細な説明】
【技術分野】
【０００１】
本発明は、建築物の躯体に固着された支持部材に取付けるための軽量気泡コンクリート（以下、「ＡＬＣ」という。）パネル取付金具及び該取付金具を用いたＡＬＣパネル取付構造に関するものである。
【背景技術】
【０００２】
従来、ＡＬＣパネルをＨ鋼からなる梁等の建築物の躯体に固着された支持部材に取付ける場合には、定規アングル等の支持部材の垂直面に、断面がＴ字状若しくは平面形状であって該垂直部に取付孔を有するＡＬＣパネル取付用板状金具を取付けた後、ＡＬＣパネル短辺または長辺小口面に挿入されたアンカー金具或いはＡＬＣパネルに埋設された取付金具に対し、ＡＬＣパネル裏面からボルト若しくはナットにより該取付孔から挿通して螺着していた。
【０００３】
図４は、例えば特許文献１にあるように従来のＡＬＣパネル取付構造の一実施例を示す図であり、建築物の躯体に固着された支持部材２に、断面がＴ字状をなすＡＬＣパネル取付用板状金具３を取付け、次いでＡＬＣパネル１の短辺小口面から挿入された垂直アンカー金具５に対し、ボルト４を該板状金具３の取付孔から挿通して螺着し、該取付金具３を支持部材２に溶接によって固着することで、ＡＬＣパネル１を取付けたものである。
【０００４】
また、図５は、例えば特許文献２にあるように従来のＡＬＣパネル取付構造の他の一実施例を示す図であり、建築物の躯体に固着された支持部材２に、断面が平面形状をなすＡＬＣパネル取付用板状金具６を取付け、次いでＡＬＣパネル１の長辺小口面から挿入された水平アンカー金具５に対し、ボルト４を該板状金具６の取付孔から挿通して螺着し、該取付金具６を支持部材２に溶接によって固着することで、ＡＬＣパネル１を取付けたものである。
【特許文献１】特開平１０-２６６４３６公報
【特許文献２】特開平１１-２５６７３７公報
【発明の開示】
【発明が解決しようとする課題】
【０００５】
しかしながら、これらのＡＬＣパネル取付構造では、柱部８にＡＬＣパネル１が配置される際に、前記柱部８の周りの突出部分８ａがＡＬＣパネル取付金具３、６と干渉した場合には、該干渉部分を切削加工することが必要となるが、該干渉部分には該支持部材２及び該Ｔ字状もしくは平面形状をなすＡＬＣパネル取付用板状金具３、６が配設されるため、切削加工自体が困難であり、ＡＬＣパネル１の取付け自体が不可能となるという問題があった。
【０００６】
また、上記従来のＡＬＣパネル取付構造では、建物解体時においてＡＬＣパネルを外す際、躯体とＡＬＣパネルとの隙間が狭いため、ボルト等を抜くための工具の使用が困難であり、躯体からＡＬＣパネルを外すために予想以上に手間がかかるという問題があった。
【０００７】
本発明は、上記問題を解決するためになされたものであり、柱部８周りの突出部分８ａとＡＬＣパネル取付金具３、６との干渉を避け、ＡＬＣパネル短辺小口面に掘設された差込孔に棒状金具を挿入することによりＡＬＣパネルの取付けが可能であり、しかも取付金具の部品数を削減することでコストダウンを図ることのできるＡＬＣパネル取付金具及び取付構造を提供することを目的とするものである。
【課題を解決するための手段】
【０００８】
上記目的を達成するため、本発明に係るＡＬＣパネル取付用板状金具は、建造物の躯体に固着された支持部材に取付けるための垂直部と水平部とからなるＡＬＣパネル取付金具であって、前記垂直部は前記水平部の一部を下方又は上方に屈曲させた両端部と上方又は下方に屈曲させた中央部とで構成され、且つ前記水平部の中央には平面矩形の周辺に爪部を備えた開口部が穿設されていることを特徴とするものである。
また、本発明に係るＡＬＣパネル取付用棒状金具は、前記ＡＬＣパネル取付用板状金具の水平部に穿設された開口部から挿通してＡＬＣパネル短辺小口面に掘設された差込孔に挿入して取付けるための棒状体からなるＡＬＣパネル取付金具であって、前記棒状体の非挿入側先端部には該開口部に嵌合する平面矩形の面材が設けてあることを特徴とするものである。
更に、本発明に係る他のＡＬＣパネル取付用棒状金具は、前記棒状体の挿入側先端部には更にゴム質キャップが被着されていることを特徴とするものである。
また、本発明に係るＡＬＣパネル取付構造は、前記ＡＬＣパネル取付用棒状金具を、前記ＡＬＣパネル取付用板状金具の水平部に穿設された平面矩形の開口部から挿通し、ＡＬＣパネル短辺小口面に掘設された差込孔に挿入し、且つ該水平部の平面矩形の開口部と該棒状金具の非挿入側先端部に設けられた平面矩形の面材とを嵌合させて取付け、次いで、前記ＡＬＣパネル取付用板状金具の垂直部を、躯体に固着された支持部材に対し、該垂直部の下端と該支持部材の下端が同一位置となるように固着することを特徴とするものである。
【０００９】
本発明に係るＡＬＣパネル取付金具は、水平部と垂直部からなるＡＬＣパネル取付用板状金具と、棒状体と該棒状体の非挿入側先端部に設けた平面矩形の面材からなるＡＬＣパネル取付用棒状金具とで構成され、前記板状金具の水平部の中央には前記棒状金具を挿通するための開口部が穿設されている。
そして、ＡＬＣパネル取付用棒状金具を、ＡＬＣパネル取付用板状金具の水平部に穿設された平面矩形の開口部から挿通し、ＡＬＣパネル短辺小口面に掘設された差込孔に挿入し、且つ該水平部の平面矩形の開口部と該棒状金具の非挿入側先端部に設けられた平面矩形の面材とを該開口部周辺にある爪部で掛止するように嵌合させて取付け、次いで、該ＡＬＣパネル取付用板状金具の垂直部を、躯体に固着された支持部材に対し、該垂直部の下端と該支持部材の下端が同一位置となるように固着してＡＬＣパネルを取付けるものである。
ここで、該棒状金具の棒状体の軸径寸法は、ＡＬＣパネル短辺小口面に掘設された差込孔径よりわずかに小さく、また、好ましくは該棒状金具の棒状体の挿入側先端部にゴム質のキャップを被着することにより、ＡＬＣパネル短辺小口面に掘設された差込孔に該棒状金具が挿入した際のガタツキを防止することができる。また、該棒状金具を該差込孔に挿入する際の干渉による該棒状金具の棒状体に施された防錆めっきの剥離をも防止することができる。
また、前記板状金具の垂直部のうち下方にある両端部或いは中央部の下端は躯体に固着された支持部材の下端と同一位置に位置しており、従って、板状金具が下方に突出することがなく、柱部の周りの突出部分とＡＬＣパネル取付金具との干渉を避けることが可能である。
更に、ＡＬＣパネル短辺小口面に掘設された差込孔に上方より棒状金具の棒状体を挿入することによってＡＬＣパネルを取付けることができ、施工が極めて容易となる。
上記構成によれば、従来の取付構造のボルトが削減でき、コストダウンを図ることができる。
【発明の効果】
【００１０】
上記本発明のＡＬＣパネル取付金具及び該取付金具を用いたＡＬＣパネル取付構造によれば、ＡＬＣパネル短辺小口面に掘設した差込孔にＡＬＣパネル取付用棒状金具を挿入することによりＡＬＣパネル取付用板状金具への仮止めができ、また、これ以上のボルト等が不要となるとと共に、その締め付け強度の管理が必要なく、作業効率が著しく向上する。
【００１１】
また、梁等の躯体に固着された支持部材の下端と取付金具の下端の位置が整合しているため、前記支持部材より下方に取付金具が露出することなく、柱部の周りの突出部分とＡＬＣパネル取付金具との干渉を避けることができ、ＡＬＣパネルの取付けが容易となる。
そして、ＡＬＣパネル取付金具を構成する部品数が削減されることにより、コストダウンを図ることができる。
【００１２】
更に、建築物解体時において、ＡＬＣパネル短辺小口面に掘設された差込孔からＡＬＣパネル取付用棒状金具を抜き取り、又は溶断することにより、ＡＬＣパネルを容易に取り外すことが可能となり、また、ＡＬＣパネル裏面へのボルト取付孔の穴あけ加工が不要となることにより、ＡＬＣパネルの半端物や切粉等の低減が可能となる。
【発明を実施するための最良の形態】
【００１３】
次に、図面により本発明に係るＡＬＣパネルの取付構造及びそれに用いる取付金具の一実施形態を具体的に説明する。
図１は本発明に係るＡＬＣパネル取付構造を示す断面説明図、図２は本発明に係るＡＬＣパネル取付構造を示す斜視図、図３は本発明に係るＡＬＣパネル取付金具の示す分解斜視図、図４は本発明に係る他のＡＬＣパネル取付構造を示す斜視図、図５は本発明に係る他のＡＬＣパネル取付構造を示す分解斜視図、図６は従来の取付構造の一例を示す斜視説明図、図７は従来の取付構造の他の例を示す斜視図であって、１はＡＬＣパネル、２は支持部材、３は従来の一例のＡＬＣパネル取付用板状金具、４はボルト、５はアンカー金具、６は従来の他の例のＡＬＣパネル取付用板状金具、７はアンカー金具、８は柱部、８ａは柱部８周りの突出部分、Ａは本発明のＡＬＣパネル取付用棒状金具、９は棒状体、Ｂは本発明のＡＬＣパネル取付用板状金具、１０ａは水平部、１０ｂは垂直部で該水平部１０ａから下方又は上方に屈曲させた両端部、１０ｃは垂直部で該水平部１０ａから上方又は下方に屈曲させた中央部、１１はゴム質キャップ、１２は平面矩形の外面材、１３は水平部１０ａに穿設された開口部、１４は開口部１３周辺に設けられた爪部である。
【００１４】
図１〜図３における本発明に係るＡＬＣパネル取付金具は、水平部１０ａと垂直部１０ｂ、１０ｃからなるＡＬＣパネル取付用板状金具Ｂと、棒状体９と該棒状体９の非挿入側先端部に設けた平面矩形で平坦な面材１２からなるＡＬＣパネル取付用棒状金具Ａとで構成されている。
また、該ＡＬＣパネル取付用板状金具Ｂの垂直部は、該水平部１０ａから下方に屈曲させた両端部１０ｂと、該水平部１０ａから上方に屈曲させた中央部１０ｃとで構成されている。
そして、該板状金具Ｂの水平部１０ａの中央には、該棒状金具Ａの棒状体９が挿通するための開口部１３が穿設されており、棒状金具Ａの棒状体９を板状金具Ｂの水平部１０ａの開口部１３に挿通させる。その際、棒状金具Ａの棒状体９の非挿入側先端部には前述した通り平面矩形の面材１２が設けられ、この面材は該開口部１３より僅かに小型であって、且つ該平面矩形の面材１２は前記開口部１３周辺に設けられた爪部１４に掛止すると共に、該開口部１３に嵌合して板状金具Ｂの水平部１０ａと面一となる。
なお、図示の実施例では板状金具Ａは、一体の水平部１０ａと垂直部１０ｂ、１０ｃからなるものを示したが、水平部１０ａと垂直部１０ｂ、１０ｃとを別体として構成し、後に相互に溶接等で接合してもよい。
【００１５】
また、図４〜５における本発明に係る他のＡＬＣパネル取付金具は、図１〜図３における本発明に係るＡＬＣパネル取付金具と同様、水平部１０ａと垂直部１０ｂ、１０ｃからなるＡＬＣパネル取付用板状金具Ｂと、棒状体９と該棒状体９の非挿入側先端部に設けた平面矩形で平坦な面材１２からなるＡＬＣパネル取付用棒状金具Ａとで構成されている。
そして、該ＡＬＣパネル取付用板状金具Ｂの垂直部は、該板状金具Ｂの水平部１０ａから上方に屈曲させた両端部１０ｂと、該水平部１０ａから下方に屈曲させた中央部１０ｃとで構成されている以外は、図１〜図３における本発明に係るＡＬＣパネル取付金具と同様の構成を取っている。
【００１６】
ＡＬＣパネルの取付構造としては、該板状金具Ｂの水平部１０ａの中央に穿設された平面矩形の開口部１３に棒状体９を挿通しておき、次いで棒状金具Ａからなる取付金具を予めＡＬＣパネル短辺小口面に掘設された差込孔(図示せず)に挿入させ、ＡＬＣパネル１を仮止めしておき、ＡＬＣパネル１を立ておこした後、躯体に固着された支持部材２に板状金具Ｂの垂直部１０ｂ、１０ｃを溶接固着する。このとき、該板状金具Ｂの垂直部の下端と躯体に固着された支持部材２の下端とが同一位置になるように該垂直部下方の中央部１０ｂ或いは該垂直部下方の両端部１０ｃを固着するため、該板状金具Ｂの垂直部の下端が支持部材２より下方に突出することなく取付けられる。
【産業上の利用可能性】
【００１７】
上記のように、本発明に係るＡＬＣパネルの取付構造及び取付金具によれば、ＡＬＣパネル短辺小口面に掘設した差込孔に棒状金具を挿入することでＡＬＣパネルへの取付金具の仮止めが可能となり、また、ボルト等が不要となると共に、その締め付け強度の管理が不必要となり、作業効率が向上する。
そして、躯体に固着された支持部材より下方に取付金具が露出しないため、柱部の周りの突出部分とＡＬＣパネル取付金具との干渉を避けることができ、ＡＬＣパネルの取付けが容易となる。
更に、取付金具を構成する部品数が削減されることにより、コストダウンが図ることができる。
【００１８】
また、建築物解体時において、棒状金具を抜き取ることによりＡＬＣパネルを容易に取り外すことが可能となる。
【００１９】
更にまた、ＡＬＣパネル裏面へのボルト差込孔あけ加工を不要にできるため、ＡＬＣパネルの加工紛等の低減が可能となる。
【図面の簡単な説明】
【００２０】
【図１】本発明に係るＡＬＣパネル取付構造を示す断面説明図である。
【図２】本発明に係るＡＬＣパネル取付構造を示す斜視図である。
【図３】本発明に係るＡＬＣパネル取付金具の示す分解斜視図である。
【図４】本発明に係る他のＡＬＣパネル取付構造を示す斜視図である。
【図５】本発明に係る他のＡＬＣパネル取付構造を示す分解斜視図である。
【図６】従来の取付構造の一例を示す斜視説明図である。
【図７】従来の取付構造の他の例を示す斜視図である。
【符号の説明】
【００２１】
１      ＡＬＣパネル
２      支持部材
３      従来の一例のＡＬＣパネル取付用板状金具
４      ボルト
５      垂直アンカー金具
６      従来の他の例のＡＬＣパネル取付用板状金具
７      水平アンカー金具
８      柱部
８ａ    柱部８周りの突出部分
Ａ      本発明のＡＬＣパネル取付用棒状金具
Ｂ      本発明のＡＬＣパネル取付用板状金具
９      棒状体
１０ａ  水平部
１０ｂ  垂直部の中央部
１０ｃ  垂直部の両端部
１１    ゴム質キャップ
１２    平面矩形の面材
１３    水平部１０ａに穿設された開口部
１４    開口部１３周辺に設けられた爪部
【図１】
2005232878.tif 000003
【図２】
2005232878.tif 000004
【図３】
2005232878.tif 000005
【図４】
2005232878.tif 000006
【図５】
2005232878.tif 000007
【図６】
2005232878.tif 000008
【図７】
2005232878.tif 000009